(57)【要約】【課題】  安全装置を含む家具アセンブリを提供すること。【解決手段】  家具アセンブリは第１の家具部、第２の家具部及び安全装置を含む。第２の家具部は第１の家具部に対して可動である。安全装置は第１のフィッティング及び第２のフィッティングを含む。第１のフィッティング及び第２のフィッティングのうちの一方は第１の家具部及び第２の家具部のうちの一方に取り外し可能に連結され、第１のフィッティング及び第２のフィッティングのうちの他方は第１の家具部及び第２の家具部のうちの他方内に位置する。第２のフィッティングが停止位置にある場合、第２のフィッティングは第１のフィッティングをブロックすることにより、第２の家具部が第１の家具部に対して所定の方向に動くのを止める。【選択図】  図１
2019093101.tif 000002
【特許請求の範囲】
【請求項１】
第１の家具部と、
前記第１の家具部に対して可動な第２の家具部と、
安全装置と、
を含む家具アセンブリであって、
前記安全装置は、前記第１の家具部及び前記第２の家具部のうちの一方に取り外し可能に連結される第１のフィッティングと、前記第１の家具部及び前記第２の家具部のうちの他方に取り外し可能に連結される第２のフィッティングとを含み、
前記第２のフィッティングは停止位置にある間前記第１のフィッティングをブロックすることにより前記第２の家具部が前記第１の家具部に対して第１の方向に動くのを止める、家具アセンブリ。
【請求項２】
前記第２のフィッティングは取り付けベースを通じて前記第１の家具部及び前記第２の家具部のうちの他方に取り外し可能に連結される、請求項１に記載の家具アセンブリ。
【請求項３】
前記第２のフィッティングは前記取り付けベースに可動に配置される、請求項２に記載の家具アセンブリ。
【請求項４】
前記安全装置は第１のコンポーネント、第２のコンポーネント及び前記取り付けベースに配置される作動部品を含み、
前記第１のコンポーネント及び前記第２のコンポーネントは相対的に移動可能であり、
前記作動部品は前記第１のコンポーネント及び前記第２のコンポーネントのうちの一方に設けられるとともに、前記第１のコンポーネント及び前記第２のコンポーネントの相対移動に対応して第１の位置から第２の位置に移動することにより前記第２のフィッティングを駆動して初期位置から前記停止位置に動かすように構成されている、請求項３に記載の家具アセンブリ。
【請求項５】
前記第１のコンポーネント及び前記第２のコンポーネントの相対移動の方向は前記作動部品が前記第１の位置から前記第２の位置に変位する方向と異なる、請求項４に記載の家具アセンブリ。
【請求項６】
前記第２のフィッティングはガイド区画を含み、
前記作動部品は前記ガイド区画を通じて前記第２のフィッティングを駆動して動かし、
前記ガイド区画はベベル面又はキャンバー面である、請求項４に記載の家具アセンブリ。
【請求項７】
前記第１のフィッティングは第１の停止部及び第２の停止部を含み、
前記第１の停止部と前記第２の停止部との間に空間が定義され、
前記第２のフィッティングが前記停止位置にある場合、前記第２のフィッティングの一部が前記空間内に突出することにより前記第１の停止部及び前記第２の停止部のうちの一方をブロックする、請求項３に記載の家具アセンブリ。
【請求項８】
前記第２の家具部が前記第１の家具部に対して所定の位置へと第２の方向に動かされると、前記第１の停止部及び前記第２の停止部のうちの他方は前記第２のフィッティングと接触して前記第２のフィッティングを駆動して前記停止位置から離す、請求項７に記載の家具アセンブリ。
【請求項９】
前記第２のフィッティングはガイド部を含み、
前記第１の停止部及び前記第２の停止部のうちの他方は前記ガイド部を通じて前記第２のフィッティングを駆動して前記停止位置から離すことができ、
前記ガイド部はベベル面又はキャンバー面である、請求項８に記載の家具アセンブリ。
【請求項１０】
第１の家具部と、
前記第１の家具部に対して可動な第２の家具部と、
第１のフィッティング及び第２のフィッティングを含む安全装置であって、該第１のフィッティング及び該第２のフィッティングのうちの一方は前記第１の家具部及び前記第２の家具部のうちの一方に取り外し可能に連結され、該第１のフィッティング及び該第２のフィッティングのうちの他方は前記第１の家具部及び前記第２の家具部のうちの他方内に位置する、安全装置と、
を含む家具アセンブリであって、
前記第１のフィッティングは第１の停止部及び第２の停止部を含み、該第１の停止部と該第２の停止部との間に空間が定義され、
前記第２の家具部が前記第１の家具部に対して閉鎖位置にある場合、前記第１のフィッティングの第２の停止部は前記第２のフィッティングの一部と位置が対応するため、前記第２のフィッティングは初期位置で維持され、
当該家具アセンブリに加えられた力によって前記第２の家具部が前記第１の家具部に対して第１の方向に動いて前記閉鎖位置から離れると、前記第１のフィッティングの第２の停止部は前記第２のフィッティングの前記一部と位置が対応しないため、前記第２のフィッティングは前記力に反応して前記初期位置から停止位置に移動し、前記第２のフィッティングの前記一部は前記第１のフィッティングの前記空間内に突出して前記第１の停止部をブロックすることにより前記第２の家具部が前記第１の家具部に対して前記第１の方向に動くのを止める、家具アセンブリ。
【発明の詳細な説明】
【技術分野】
【０００１】
本発明は家具アセンブリに関し、より具体的には安全装置を含む家具アセンブリに関する。
【背景技術】
【０００２】
一般に、日常生活における家具又は器具は固定部と、該固定部に対して動かすことができる可動部とを有する（例えば、固定レール及び可動レール、引き出し及びキャビネット又はドア及び固定フレーム）。家具が予期しない状況（例えば地震）に直面したときに振動又は揺れの力が大きすぎると、家具の可動部は通常固定部に対して自動で開く。このような状況によって家具の近くにいる人がケガをしたり、物が壊れたりすることがある。
【先行技術文献】
【特許文献】
【０００３】
【特許文献１】米国特許第８１００４８７号明細書
【特許文献２】米国特許第８１７２３４５号明細書
【特許文献３】米国特許第８３０８２５１号明細書
【発明の概要】
【発明が解決しようとする課題】
【０００４】
したがって、安全機構を含む家具アセンブリを開発することが必要不可欠である。
【０００５】
本発明は安全機構を含む家具アセンブリに関する。
【課題を解決するための手段】
【０００６】
本発明の一態様によれば、家具アセンブリは第１の家具部（furniture  piece）と、第２の家具部と、安全装置とを含む。第２の家具部は第１の家具部に対して可動である。安全装置は第１のフィッティング（fitting）及び第２のフィッティングを含む。第１のフィッティング及び第２のフィッティングのうちの少なくとも一方は第１の家具部及び第２の家具部のうちの対応する一方に取り外し可能に連結される。第２のフィッティングは停止位置にある間第１のフィッティングをブロックすることにより第２の家具部が第１の家具部に対して第１の方向に動くのを止める。
【０００７】
第１及び第２のフィッティングのそれぞれは第１及び第２の家具部のうちの対応する一方に取り外し可能に連結されることが好ましい。しかしながら、代替的な実施形態では、第１及び第２のフィッティングのうちの一方のみが第１及び第２の家具部のうちの一方に取り外し可能に連結され、第１及び第２のフィッティングのうちの他方は第１及び第２の家具部のうちの他方上に位置する。
【０００８】
第２のフィッティングは取り付けベースを通じて第１の家具部及び第２の家具部のうちの対応する一方に取り外し可能に連結されることが好ましい。
【０００９】
第２のフィッティングは取り付けベースに可動に配置されることが好ましい。
【００１０】
安全装置は第１のコンポーネント、第２のコンポーネント及び取り付けベースに配置される作動部品を含むことが好ましい。第１のコンポーネント及び第２のコンポーネントは相対的に移動可能である。作動部品は第１のコンポーネント及び第２のコンポーネントのうちの一方に位置するとともに、第１のコンポーネント及び第２のコンポーネントの相対移動に対応して第１の位置から第２の位置に移動することにより第２のフィッティングを駆動して初期位置から停止位置に動かすことができるように構成されている。
【００１１】
第１のコンポーネント及び第２のコンポーネントの相対移動の方向は作動部品が第１の位置から第２の位置に変位する方向と異なることが好ましい。
【００１２】
第２のフィッティングはガイド区画を含み、作動部品はガイド区画を通じて第２のフィッティングを駆動して動かすことが好ましい。ガイド区画はベベル面又はキャンバー面である。
【００１３】
第１のフィッティングは第１の停止部及び第２の停止部を含み、第１の停止部と第２の停止部との間に空間が定義されることが好ましい。第２のフィッティングが停止位置にある場合、第２のフィッティングの一部が空間内に突出することにより第１の停止部及び第２の停止部のうちの一方をブロックする。
【００１４】
第２の家具部が第１の家具部に対して所定の位置へと第２の方向に動かされると、第１の停止部及び第２の停止部のうちの他方は第２のフィッティングと接触して第２のフィッティングを駆動し停止位置から離すことが好ましい。
【００１５】
第２のフィッティングはガイド部を含み、第１の停止部及び第２の停止部のうちの他方はガイド部を通じて第２のフィッティングを駆動して停止位置から離すことができることが好ましい。ガイド部はベベル面又はキャンバー面である。
【００１６】
本発明の別の態様によれば、家具アセンブリは第１の家具部と、第２の家具部と、安全装置とを含む。第２の家具部は第１の家具部に対して可動である。安全装置は第１のフィッティング及び第２のフィッティングを含む。第１のフィッティング及び第２のフィッティングのうちの一方は第１の家具部及び第２の家具部のうちの一方に取り外し可能に取り付けられ、第１のフィッティング及び第２のフィッティングのうちの他方は第１の家具部及び第２の家具部のうちの他方内に位置する。第１のフィッティングは第１の停止部及び第２の停止部を含み、第１の停止部と第２の停止部との間に空間が定義される。第２の家具部が第１の家具部に対して閉鎖位置にある場合、第１のフィッティングの第２の停止部は第２のフィッティングの一部と位置が対応するため、第２のフィッティングは初期位置で維持される。当該家具アセンブリに加えられた力によって第２の家具部が第１の家具部に対して第１の方向に動いて閉鎖位置から離れると、第１のフィッティングの第２の停止部は第２のフィッティングの前記一部と位置が対応しないため、第２のフィッティングは前記力に反応して初期位置から停止位置に移動し、第２のフィッティングの前記一部は第１のフィッティングの空間内に突出して第１の停止部をブロックすることにより第２の家具部が第１の家具部に対して第１の方向に動くのを止める。
【００１７】
第２の家具部が第１の家具部に対して所定の位置へと第２の方向に移動すると、第２の停止部は第２のフィッティングの前記一部と接触して第２のフィッティングを駆動して停止位置から初期位置に戻すことが好ましい。
【図面の簡単な説明】
【００１８】
【図１】図１は、本発明の一実施形態における家具アセンブリの分解図である。
【図２】図２は、本発明の一実施形態における家具アセンブリの組み立て図である。
【図３】図３は、本発明の一実施形態において、安全装置のフィッテングが家具アセンブリにどのようにして取り付けられるかを示す図である。
【図４】図４は、安全装置が取り付けられた本発明の一実施形態における家具アセンブリの図である。
【図５】図５は、本発明の一実施形態における安全装置の安全キットの分解図である。
【図６】図６は、本発明の一実施形態における安全装置の安全キットの組み立て図であある。
【図７】図７は、本発明の一実施形態における安全装置の安全キットの別の角度から見た組み立て図である。
【図８】図８は、本発明の一実施形態における安全装置の安全キットの図であり、安全キットは取り付けベースに取り付けられている。
【図９】図９は、本発明の一実施形態における安全装置の第２のコンポーネントは安全装置の第１のコンポーネントに対して可動であることを示す図である。
【図１０】図１０は、本発明の一実施形態における安全装置の第２のフィッティングの概略図であり、第２のフィッティングは初期位置にある。
【図１１】図１１は、本発明の一実施形態における安全装置の第２のフィッティングの概略図であり、第２のフィッティングは停止位置にある。
【図１２】図１２は、本発明の一実施形態における家具アセンブリを示す斜視図であり、家具アセンブリは初期状態にある。
【図１３】図１３は、図１２における丸で囲った領域Ａの拡大図である。
【図１４】図１４は、本発明の一実施形態における家具アセンブリを示す斜視図であり、家具アセンブリは力によって振動されているか又は揺らされた状態にある。
【図１５】図１５は、図１４における丸で囲った領域Ａの拡大図である。
【図１６】図１６は、本発明の一実施形態における家具アセンブリの概略図である。
【図１７】図１７は、本発明の一実施形態における家具アセンブリの第２の家具部が家具アセンブリの第１の家具部に対して所定の方向に動くことを示す概略図である。
【図１８】図１８は、本発明の一実施形態における家具アセンブリの第２の家具部が家具アセンブリの第１の家具部に対して所定の方向に移動するのを安全装置がどのように止めるかを示す概略図である。
【発明を実施するための形態】
【００１９】
図１及び図２は、本発明の一実施形態に係る家具アセンブリ２０、例えば家具のためのスライドレールアセンブリを示す。家具アセンブリ２０は第１の家具部２２（例えば固定レール）、第２の家具部２４（例えば可動レール）及び取り外し可能な安全装置２５を含む。
【００２０】
第２の家具部２４は第１の家具部２２に対して可動である。安全装置２５は第１のフィッティング２６を含む。第１のフィッティング２６は、第１の家具部２２及び第２の家具部２４のうちの一方に取り外し可能に連結される。ここでは、一例として、第１のフィッティング２６は第２の家具部２４に取り外し可能に連結されている。具体的には、第１のフィッティング２６は第１の部分２６ａ及び第２の部分２６ｂを備え、第２の家具部２４は第１の部位２４ａ及び第２の部位２４ｂを備える。第１の部分２６ａと第１の部位２４ａとは挿入、クランプ留め、機械的係合又は任意の他の好適な手段により組み立てられ、第２の部分２６ｂと第２の部位２４ｂとは挿入、クランプ留め、機械的係合又は任意の他の好適な手段により組み立てられ得る。
【００２１】
安全装置２５は取り付けベース３０を含むことが好ましい。取り付けベース３０は第１の家具部２２及び第２の家具部２４のうちの他方に取り外し可能に連結される。ここでは、一例として、取り付けベース３０は第１の家具部２２に取り外し可能に連結される。具体的には、取り付けベース３０は第１の部分３０ａ及び第２の部分３０ｂを備える。第１の家具部２２は第１の部位２２ａ及び第２の部位２２ｂを備える。第１の部分３０ａと第１の部位２２ａとは挿入、クランプ留め、機械的係合又は任意の他の好適な手段により組み立てられ得る。第２の部分３０ｂと第２の部位２２ｂとは挿入、クランプ留め、機械的係合又は任意の他の好適な手段により組み立てられ得る。
【００２２】
図３及び図４に示すように、取り付けベース３０を第１の家具部２２に固定するために、ユーザーは取り付けベース３０の第１の部分３０ａ（例えば突出部）を第１の家具部２２の第１の部位２２ａ（例えば孔）内に挿入し、取り付けベース３０の第２の部分３０ｂ（例えば突出部）と第１の家具部２２の第２の部位２２ｂ（例えば孔）とをクランプ留めするか又は係合させる。他方、第１のフィッティング２６を第２の家具部２４に固定するために、ユーザーは第１のフィッティング２６の第１の部分２６ａ（例えば突出部）と第２の家具部２４の第１の部位２４ａ（例えば切り欠き）とをクランプ留めするか又は係合させ、第１のフィッティング２６の第２の部分２６ｂ（例えば切り欠き）と第２の家具部２４の第２の部位２４ｂ（例えば突出部）とをクランプ留めするか又は係合させる。好ましい設置方法では、ユーザーは第１のフィッティング２６の第１の部分２６ａと第２の家具部２４の第１の部位２４ａとをクランプ留めするか又は係合させ、その後に第１のフィッティング２６を所定の角度回転方向Ｒに回転させて第１のフィッティング２６の第２の部分２６ｂと第２の家具部２４の第２の部位２４ｂとをクランプ留めするか又は係合させる。第１のフィッティング２６の第１の部分２６ａ及び第２の部分２６ｂのおかげで、第２の家具部２４に取り付けられる第１のフィッティング２６の硬さ及び信頼性が高まる。同様に、取り付けベース３０の第１の部分３０ａ及び第２の部分３０ｂのおかげで、第１の家具部２２に取り付けられる取り付けベース３０の硬さ及び信頼性を高めることができる。
【００２３】
第１のフィッティング２６は第１の停止部３２及び第２の停止部３４を含み、第１の停止部３２と第２の停止部３４との間に空間Ｓが定義されることが好ましい。安全装置２５は第２のフィッティング３６をさらに含むことが好ましい。第２のフィッティング３６は第１の家具部２２及び第２の家具部２４のうちの他方と取り外し可能に連結される。一例として、第２のフィッティング３６は取り付けベース３０に可動に配置されるとともに、取り付けベース３０を通じて第１の家具部２２に取り付け可能に連結される。本実施形態における第２のフィッティング３６及び第１のフィッティング２６は双方が家具アセンブリ２０に取り外し可能に連結されているが、代替的な実施形態では、第１のフィッティング２６及び第２のフィッティング３６のうちの一方のみが家具アセンブリ２０に取り外し可能に連結される。フィッティングをそのような取り外し可能に連結する目的は、安全装置の機能を高めるかどうかをユーザーが必要に応じて決めることができるようにすることである。
【００２４】
図５、図６及び図７に示すように、安全装置２５は第１のコンポーネント３８、第２のコンポーネント４０及び作動部品４２を含む。第１のコンポーネント３８、第２のコンポーネント４０、作動部品４２及び第２のフィッティング３６は安全キットを構成する。安全キットはカバー体４４をさらに含むことが好ましい。
【００２５】
第１のコンポーネント３８及び第２のコンポーネント４０は相対的に動かすことができる。第１のコンポーネント３８及び第２のコンポーネント４０のうちの一方は他方を受容するための受容室４６を有する。ここでは、受容室４６は一例として（図７に示すように）第２のコンポーネント４０を受容するために第１のコンポーネント３８の底部に位置する。第２のフィッティング３６は（図６に示すように）第１のコンポーネント３８の上部に可動に取り付けられることが好ましい。例えば、第２のフィッティング３６は第１のコンポーネント３８に枢結される。第２のフィッティング３６は、作動部品４２と位置的に対応するガイド区画４８（例えばべベル面又はキャンバー面）を含む。作動部品４２（例えば球体）は第１のコンポーネント３８及び第２のコンポーネント４０のうちの一方内に位置する。カバー体４４は少なくとも１つの接続部品４９を通じて第１のコンポーネント３８に接続され、カバー体４４と第１のコンポーネント３８との間に取り付け空間５０が定義されていることが好ましい。第２のフィッティング３６は取り付け空間５０内で主に受容され、カバー体４４は第２のフィッティング３６を保護することができる。
【００２６】
図８及び図９に示すように、作動部品４２は、第１のコンポーネント３８と第２のコンポーネント４０との相対移動に対応して第１の位置Ｋ１から第２の位置Ｋ２に移動して第２のフィッティング３６を駆動して動かすことができる。第１のコンポーネント３８及び第２のコンポーネント４０のうちの一方は作動部５３を含み、例えばべベル面又はキャンバー面である作動部５３は作動部品４２の駆動に寄与する。作動部品４２はガイド区画４８を通じて第２のフィッティング３６の駆動に役立つことが好ましい。取り付けベース３０は支持部５４を含み、第１のコンポーネント３８、第２のコンポーネント４０、作動部品４２及び第２のフィッティング３６は取り付けベース３０の支持部５４に配置されることが好ましい。
【００２７】
本実施形態では、支持部５４は一例として第２のコンポーネント４０の底部に位置する。第１のコンポーネント３８に対する第２のコンポーネント４０の動きに寄与する複数の摺動支援部品５６（例えばボール）があることが好ましい。加えて、第１のコンポーネント３８及び第２のコンポーネント４０の相対移動の方向は、作動部品４２が第１の位置Ｋ１から第２の位置Ｋ２に変位する方向とは異なる。例えば、第２のコンポーネント４０は第１のコンポーネント３８に対して左又は右に動く一方、作動部品４２は下か上に動く。
【００２８】
図１０及び図１１に示すように、作動部品４２は、第１のコンポーネント３８と第２のコンポーネント４０との相対移動に反応して第２のフィッティング３６を駆動して動かすことができる。そのため、第２のフィッティング３６の部分５２は取り付け空間５０から離れることができる。例えば、第２のフィッティング３６は作動部品４２により駆動されて初期位置Ｘ１から停止位置Ｘ２に移動できるため、第２のフィッティング３６の部分５２は取り付け空間５０から離れる。部分５２はガイド部５８（例えばべベル面又はキャンバー面）を有することが好ましい。
【００２９】
図１２及び図１３に示すように、第１の家具部２２はキャビネット本体に固定され、キャビネット本体は第１の家具部２２とみなすことができる。他方、第２の家具部２４は引き出しを保持し、引き出しは第２の家具部２４とみなすことができる。
【００３０】
一実施形態では、第２の家具部２４が第１の家具部２２に対して閉鎖位置Ｐにある場合、第１のフィッティング２６の第２の停止部３４は第２のフィッティング３６の部分５２の位置に対応するため、第２のフィッティング３６は初期位置Ｘ１で維持される。
【００３１】
図１４及び図１５に示すように、家具アセンブリが力（例えば、振動力又はスロッシング力（sloshing  force））を受けると、第２の家具部２４（引き出し）又は第１の家具部２２（キャビネット本体）は振動するか又は揺れることがある（図１５では、この振動力又はスロッシング力を特定の角度Ｙで表す）。したがって、第２の家具部２４は第２の家具部２４に対して第１の方向Ｄ１（例えば開く方向）に移動して閉鎖位置Ｐから離れ、第１のフィッティング２６の第２の停止部３４は第２のフィッティング３６の部分５２と位置が対応しない。そのため、第２のフィッティング３６は力（例えば振動力又はスロッシング力）に対応して初期位置Ｘ１から停止位置Ｘ２に動くことができ、第２のフィッティング３６の部分５２は第１のフィッティング２６の空間Ｓ内に突出し第１の停止部３２をブロックして第２の家具部２４が第１の家具部２２に対して第１の方向Ｄ１に動くのを止めることができる。
【００３２】
そのような特徴は、家具アセンブリ２０が地震に直面するか又は保持されて揺らされた場合に、安全装置２５は第１の家具部２２に対する第２の家具部２４の任意の動きを防止して、家具アセンブリ２０によって人がケガをするのを回避して人の安全を保障する。
【００３３】
図１６に示すように、第２の家具部２４が第１の家具部２２に対して閉鎖位置Ｐにある場合、第１のフィッティング２６の第２の停止部３４は第２のフィッティング３６の部分５２の位置に対応するため、第２のフィッティング３６は初期位置Ｘ１で維持される。
【００３４】
図１７及び図１８に示すように、家具アセンブリ２０が前述の力（例えば振動力又はスロッシング力）を受けると、第２の家具部２４は第１の家具部２２に対して第１の方向Ｄ１に動くため、第１のフィッティング２６の第２の停止部３４は第２のフィッティング３６の部分５２と位置が対応しない。そのため、第２のフィッティング３６は力（例えば振動力又はスロッシング力）に対応して初期位置Ｘ１から停止位置Ｘ２に動くことができ、第２のフィッティング３６の部分５２は第１のフィッティング２６の空間Ｓ内に突出して第１の停止部３２をブロックし、第２の家具部２４が第１の家具部２２に対して第１の方向Ｄ１に動くのを停めることができる。
【００３５】
図１８に示すように、前述した停止機構をキャンセルするために第２のフィッティング３６の部分５２が第１の停止部３２をブロックした場合、ユーザーは力を加えることで第２の家具部２４を第１の家具部２２に対して第２の方向Ｄ２（例えば閉鎖方向）の所定の位置に変位させ、第１のフィッティング２６の第２の停止部３４が第２のフィッティング３６と接触し第２のフィッティング３６を駆動して第２のフィッティング３６のガイド部５８を通じて停止位置Ｘ２から離すことができる。これにより、第２のフィッティング３６は初期位置Ｘ１に戻る（この部分については図１６を参照）。
【００３６】
したがって、本発明の実施形態に係る家具アセンブリは、好ましくは下記の特徴を有する。
【００３７】
１）安全装置の複数のフィッティングのうちの少なくとも１つは家具アセンブリ２０に取り外し可能に連結されているため、ユーザーは家具に関連する物体に安全装置のフィッティングを取り付けるか否かを必要に応じて決めることができる。
【００３８】
２）家具アセンブリ２０が地震に直面するか又は保持されて揺らされると、安全装置が振動力又はスロッシング力に耐えるため、関連物体（例えば、第１の家具部２２に対する第２の家具部２４）の任意の動きを防止するため、家具アセンブリ２０によって人がケガするのを回避して人の安全を保障する。
【００３９】
３）安全装置はプッシュオープン型の引き出しに用いることができ、プッシュオープン型の引き出しが振動又は揺れに起因して予期せずに排出されるのを防止して家具アセンブリ２０によって人がケガするのを避けることができる。
【００４０】
特定の例示的な実施形態及び実施例の観点で本願発明を説明してきたが、本願で開示した実施形態は説明を目的としたものに過ぎず、当業者であれば、下記の特許請求の範囲で規定する本発明の精神及び範囲から逸脱することなく様々な変更及び改変を加えることができる。
【符号の説明】
【００４１】
２０  家具アセンブリ
２２  第１の家具部
２４  第２の家具部
２６  第１のフィッティング
３０  取り付けベース
３２  第１の停止部
３４  第２の停止部
３６  第２のフィッティング
３８  第１のコンポーネント
４０  第２のコンポーネント
４２  作動部品
４４  カバー体
４６  受容室
４８  ガイド区画
５０  取り付け空間
５２  部分
５４  支持部
５６  摺動支援部品
５８  ガイド部
【図１】
2019093101.tif 000003
【図２】
2019093101.tif 000004
【図３】
2019093101.tif 000005
【図４】
2019093101.tif 000006
【図５】
2019093101.tif 000007
【図６】
2019093101.tif 000008
【図７】
2019093101.tif 000009
【図８】
2019093101.tif 000010
【図９】
2019093101.tif 000011
【図１０】
2019093101.tif 000012
【図１１】
2019093101.tif 000013
【図１２】
2019093101.tif 000014
【図１３】
2019093101.tif 000015
【図１４】
2019093101.tif 000016
【図１５】
2019093101.tif 000017
【図１６】
2019093101.tif 000018
【図１７】
2019093101.tif 000019
【図１８】
2019093101.tif 000020